(57)【要約】【課題】トルマリン等の圧電効果がある装身用部材を使用した装身具において、圧電効果を有効に利用できるようにすること。【解決手段】ネックレス１は、圧電効果があるトルマリン粒１０、２０と、トルマリン粒１０が取付られた台座部３０と、台座部３０を身体に吊るすことができるチェーン３４とを具備している。トルマリン粒１０はネックレス１の主たる装身用部材である。トルマリン粒２０は、ほぼ板状であり、台座部３０はリング状である。トルマリン粒２０が台座部３０の内側に吊設された状態において、トルマリン粒２０がトルマリン粒１０の裏面１２に接触するとともに、トルマリン粒２０の少なくとも一部分が台座部３０の外側に突出している。【選択図】        図２
2004147864.tif 000002
【特許請求の範囲】
【請求項１】
圧電効果がある第１および第２の装身用部材と、
前記第１の装身用部材が取付られた台座部と、
前記台座部を身体に吊るすことができる装着部とを具備し、
前記第１の装身用部材は装身具の主たる装身用部材であり、
前記第２の装身用部材は前記台座部に吊設された状態で前記第１の装身用部材の裏面に接触していることを特徴とする圧電効果がある装身用部材を用いた装身具。
【請求項２】
請求項１記載の圧電効果がある装身用部材を用いた装身具において、
前記台座部がリング状であり、
前記第２の装身用部材が前記台座部の内側に吊設された状態において、前記第２の装身用部材が前記第１の装身用部材の裏面に接触するとともに、前記第２の装身用部材の少なくとも一部分が前記台座部の外側に突出していることを特徴とする圧電効果がある装身用部材を用いた装身具。
【請求項３】
請求項２記載の圧電効果がある装身用部材を用いた装身具において、
前記第２の装身用部材は、ほぼ板状であり、その周辺部が前記台座部の内側に吊設されていることを特徴とする圧電効果がある装身用部材を用いた装身具。
【発明の詳細な説明】
【０００１】
【発明の属する技術分野】
本発明は、トルマリン等の圧電効果がある装身用部材を用いた装身具に関し、特に、圧電効果がある装身用部材の圧電効果を利用し、従来より多くのマイナスイオンを発生させることができる圧電効果がある装身用部材を用いた装身具に関するものである。
【０００２】
【従来の技術】
トルマリンは、装身用部材であるとともに、圧電効果および焦電効果を備えている。この圧電効果および焦電効果によりトルマリンの表面に電荷が現れ、この電荷により、トルマリンは空気中にマイナスイオンを発生させることができる。図６はこのトルマリンを装身具に使用した従来例を示す（例えば特許文献１参照。）。この場合、複数のトルマリン粒６１を金属線６３で連綴したネックレス６０が開示されている。各トルマリン粒６１の間に金等の貴金属部材６２が配置されているので、各トルマリン粒６１同士は互いに接触しないようになっている。このネックレス６０を首に掛けたときには、このネックレス６０を首に掛けた人の体温により、各トルマリン粒６１の温度が上昇することによる焦電効果により各トルマリン粒６１に電荷が現れ、これにより、各トルマリン粒６１の近傍の空気中にマイナスイオンが発生する。このマイナスイオンが前記ネックレス６０を首に掛けた人の体に影響し、その人の血行の促進、疲労の回復等を図ることができる。
【０００３】
【特許文献１】
特開平６−３１２０２６号公報（第２頁、図１）
【０００４】
【発明が解決しようとする課題】
しかし、上述の従来例では、トルマリン粒６１の焦電効果のみを利用しているため、トルマリン粒６１の圧電効果を有効に利用することができなかった。このため、ネックレス６０のトルマリン粒６１によるマイナスイオンの発生が充分ではなかった。
そこで、本発明が解決しようとする課題は、トルマリン等の圧電効果がある装身部材を使用した装身具において圧電効果を有効に利用できるようにすることである。
【０００５】
【課題を解決するための手段】
上記課題を解決するため、請求項１記載の発明は、圧電効果がある第１および第２の装身用部材と、前記第１の装身用部材が取付られた台座部と、前記台座部を身体に吊るすことができる装着部とを具備し、前記第１の装身用部材は装身具の主たる装身用部材であり、前記第２の装身用部材は前記台座部に吊設された状態で前記第１の装身用部材の裏面に接触していることを特徴とする圧電効果がある装身用部材を用いた装身具である。
これにより、主たる装身用部材となる第１の装身用部材が台座部に取付けられ、装着部（例えばチェーンを備えたもの）が前記台座部を身体に吊るすことができる。そして、第２の装身用部材が前記台座部に吊設された状態で前記第１の装身用部材の裏面に接触しているので、装身具を身体（例えば首）に吊るした人が動くと、その動きにより、互いに接触した第１および第２の装身用部材が互いに押し合う圧力が発生し、この圧力による圧電効果により、第１および第２の装身用部材に圧電気が発生し、第１および第２の装身用部材の近傍の空気中にマイナスイオンが発生する。
【０００６】
さらに、請求項２に記載された発明は、請求項１に記載された発明において、前記台座部がリング状であり、前記第２の装身用部材が前記台座部の内側に吊設された状態において、前記第２の装身用部材が前記第１の装身用部材の裏面に接触するとともに、前記第２の装身用部材の少なくとも一部分が前記台座部の外側に突出していることである。
これにより、前記第２の装身用部材がリング状の台座部の内側に吊設された状態において、前記第２の装身用部材の少なくとも一部分が前記台座部の外に突出しているので、この突出した部分が装身具を身体に吊るした人の身体により押されるため、前記第２の装身用部材が前記第１の装身用部材の裏面に接触することによる圧電気が前記第１および第２の装身用部材において発生しやすくなる。
【０００７】
さらに、請求項３記載の発明は、請求項２記載の圧電効果がある装身用部材を用いた装身具において、前記第２の装身用部材は、ほぼ板状であり、その周辺部が前記台座部の内側に吊設されていることを特徴とする圧電効果がある装身用部材を用いたことである。
これにより、ほぼ板状の第２の装身用部材の周辺部が前記台座部の内側に吊設されているので、前記第２の装身用部材の一方の面が前記第１の装身用部材の裏面に接触した状態で、前記第２の装身用部材の他方の面が前記台座部の外側に突出しているので、前記他方の面が前記身体により押されやすくなる。
【０００８】
【発明の実施の形態】
以下、本発明における実施の形態を図面に基づいて説明する。図１は本発明の実施の形態に係るネックレスを示す斜視図であり、図２は図１のネックレスの左側面図であり、図３は図１のネックレスの背面図であり、図４は図２のＩＶ−ＩＶ断面を示す。
【０００９】
図１において、ネックレス１は、請求項における「装身具」の一例であり、第１のトルマリン粒１０、第１のトルマリン粒１０を支える台座部３０、台座部３０を吊下げるチェーン３４および台座部３０に吊設された第２のトルマリン粒２０（図２参照）を備えている。
【００１０】
第１のトルマリン粒１０は、請求項における「圧電効果がある装身用部材」であり、ネックレス１の主たる装身用部材である。このため、ネックレス１の正面から見える位置に第１のトルマリン粒１０は配置されている。第１のトルマリン粒１０は、表面１１が、ほぼ半球状であり、裏面１２が平面状である。
【００１１】
台座部３０は、その本体３１がリング状であり、第１のトルマリン粒１０の裏面１２（図２参照）の周辺部に当接して、第１のトルマリン粒１０の台座となっている。前記本体３１の４個所に等間隔に付設された４つの爪３２は第１のトルマリン粒１０の表面１１の周辺部を係止して第１のトルマリン粒１０を台座部３０に固定している。
台座部３０の上端にリング状部３３は付設され、リング状の金具３５はリング状部３３を挿通し、さらに、チェーン３４は金具３５を挿通している。このため、チェーン３４は台座部３０を吊下げることができる。したがって、チェーン３４および金具３５は、請求項における「装着部」に相当する。
【００１２】
図２において、第２のトルマリン粒２０は請求項における「圧電効果がある装身用部材」であり、ほぼ板状に形成され、その周辺部の上端部に設けられたフック部４２は台座部３０の内面の上端部に下向きに付設されたリング状部４１に係合している。なお、第２のトルマリン粒２０の中心部に縦方向に孔２３（図４参照）が形成され、ロッド部４３が孔２３を挿通し、ロッド部４３の頂部にフック部４２が形成され、ロッド部４３の下端部に球状部４４が形成されている。そして、球状部４４の径は孔２３の径より大きいので、第２のトルマリン粒２０がフック部４２により吊下げられる。
このため、第２のトルマリン粒２０の周辺部の上端部は、台座部３０の内側に吊設されている（図３参照）。この状態で、第２のトルマリン粒２０は、その一方の面（内面）２１が第１のトルマリン粒１０の裏面１２に接触するとともに、その他方の面（外面）２２が台座部３０の外部に突出している（図４参照）。
【００１３】
図５は、ネックレス１の使用状態を示す。図５において、ネックレス１はチェーン３４により人５０の首５１に吊下げられている。そして、ネックレス１の第２のトルマリン粒２０の位置は、例えば人５０の胸腺５２の位置である。
人５０の身体が第２のトルマリン粒２０に接触しているので、人５０が動くことにより、ネックレス１に力が加わり、第１のトルマリン粒１０と第２のトルマリン粒２０の間の圧力が変化するので、圧電効果によりトルマリン粒１０、２０に電荷が現れ、この電荷により、トルマリン粒１０、２０の近傍の空気中にマイナスイオンは発生する。
なお、ネックレス１が人５０の衣服の外ではなく、衣服の中に吊下げられる場合には、第２のトルマリン粒２０は人５０の皮膚に直接接触する。このため、トルマリン粒１０、２０は人５０の体温の影響を受けて温度が変化するので、トルマリン粒１０、２０は焦電効果により電荷を発生させ、この焦電効果による電荷によっても前記マイナスイオンは発生する。
【００１４】
前記マイナスイオンが人５０の体内に取り入れられると、血行を良くして、細胞を活性化させることができる。なお、人５０の皮膚には周囲に比べて電気抵抗が低い部分がある。この部分は、東洋医学でいうツボ（径穴）と一致している。このツボから前記マイナスイオンが人５０の体内に入り込む。このため、トルマリン粒１０、２０をこのツボの近くに配置すると、トルマリン粒１０、２０によるマイナスイオンが人５０の体内に効率よく入ることになる。特に、上述のように胸線５２におけるツボの近くにトルマリン粒１０、２０を配置するとマイナスイオンが人５０の体内に入り易くなる。
また、トルマリンは、遠赤外線を発生させる。この遠赤外線によっても、人の血行を促進する。
【００１５】
なお、上記実施の形態において、第２のトルマリン粒は、板状であるが、これに限定されず、第２のトルマリン粒の形状を球状等の任意の形状とすることができる。また、第２のトルマリン粒の一方の面が第１のトルマリン粒の裏面に接触した状態で、第２のトルマリン粒の他方の面が台座部の外側に突出しているが、これに限定されず、第２のトルマリン粒の他方の面が台座部の外側に突出しなくてもよい。
また、４つの爪が台座部に形成されているが、これに限定されず、第１のトルマリン粒を台座部に固定できる数の爪であればよい。
【００１６】
【発明の効果】
請求項１記載の発明によれば、圧電効果がある装身用部材を用いた装身具によるマイナスイオンの発生を増加させることができる。
さらに、請求項２に記載された発明によれば、上記請求項１に記載された発明の効果とともに、マイナスイオンの発生が一層増加する。
さらに、請求項３に記載された発明によれば、上記請求項２に記載された発明の効果とともに、請求項２記載の圧電効果がある装身用部材を用いた装身具を使用しやすくなる。
【図面の簡単な説明】
【図１】本発明の実施の形態に係るネックレスを示す斜視図である。
【図２】図１のネックレスの左側面図である。
【図３】図１のネックレスの背面図である。
【図４】図２のＩＶ−ＩＶ断面を示す断面図である。
【図５】図１のネックレスの使用状態の説明図である。
【図６】従来のトルマリンを用いたネックレスの正面図である。
【符号の説明】
１  ネックレス（装身具）
１０  第１のトルマリン粒（圧電効果がある装身用部材）
１２  第１のトルマリン粒の裏面
２０  第２のトルマリン粒（圧電効果がある装身用部材）
３０  台座部
３４  チェーン（装着部）
３５  金具（装着部）
４１  リング状部
４２  フック部
【図１】
2004147864.tif 000003
【図２】
2004147864.tif 000004
【図３】
2004147864.tif 000005
【図４】
2004147864.tif 000006
【図５】
2004147864.tif 000007
【図６】
2004147864.tif 000008